(57)【要約】      （修正有）【課題】シンプルで組み立てやすく、底片同士が強固に接続され、底部の強度を格段に向上させることができるワンタッチ型の底部を備えた包装箱を提供する。【解決手段】第一糊付け領域５４は、第二の底片６６の外面に重なって糊で接合され、第二の底片６６は、第一糊付け領域５４と重ならない部分が第三台形領域７４の内面に重なる。第三糊付け領域７６は、第四の底片８８の外面に重なって糊で接合され、第四の底片８８は、第三糊付け領域７６と重ならない部分が第一台形領域５２の内面に重なる。第一端側突部５８が第四の底片８８の内面側に入り、第一端側切り欠き５８ａが第四切り欠き８８ａに係合することによって、第一及び第四の底片４６、８８が相互に接続される。第三端側突部８０が第二の底片６６の内面側に入り、第三端側切り欠き８０ａが第二切り欠き６６ａに係合することによって、第二及び第三の底片６６、７０が相互に接続される。【選択図】図３
0003234704.tif 000002
【実用新案登録請求の範囲】
【請求項１】
周方向に順に連続する第一から第四の側板を有し、前記第一及び第三側板が前後方向に対向し、前記第二及び第四の側板が左右方向に対向して形成される筒体と、前記第一から第四の側板の底側の端部に各々延設された第一から第四の底片を有し、前記第一から第四の底片が相互に重なって形成される平坦な底部とを備え、前記底部は、前記筒体を立体的な四角形に形成することによって組み立てられるワンタッチ型の底部である包装箱であって、
前記第一の底片は、前記第一の側板の端辺に延設された領域であって、外形が、延出方向の端辺が幅狭になった台形状に形成された第一台形領域と、前記第一台形領域の、前記第二の底片に近い斜辺に延設された第一糊付け領域と、前記第一台形領域の延出方向の端辺の、前記第四の底片の側に偏った位置に延設された第一補助領域と、前記第一補助領域の、前記第四の底片に近い側辺から、前記第四の底片の方向に突出する第一端側突部とを備え、前記第一端側突部の、前記第一台形領域に近い基端部には第一端側切り欠きが設けられており、
前記第二の底片は、前記第一の底片に近い側辺に第二の切り欠きが設けられており、
前記第三の底片は、前記第三の側板の端辺に延設された領域であって、外形が、延出方向の端辺が幅狭になった台形状に形成された第三台形領域と、前記第三台形領域の、前記第四の底片に近い斜辺に延設された第三糊付け領域と、前記第三台形領域の延出方向の端辺の、前記第二の底片の側に偏った位置に延設された第三補助領域と、前記第三補助領域の、前記第二の底片に近い側辺から、前記前記第二の底片の方向に突出する第三端側突部とを備え、前記第三端側突部の、前記第三台形領域に近い基端部には第三端側切り欠きが設けられており、
前記第四の底片には、前記第三の底片に近い側辺に第四切り欠きが設けられており、
前記底部を組み立てた状態で、前記第一糊付け領域は、前記第二の底片の外面に重なって糊で接合され、前記第二の底片は、前記第一糊付け領域と重ならない部分が前記第三台形領域の内面に重なり、前記第三糊付け領域は、前記第四の底片の外面に重なって糊で接合され、前記第四の底片は、前記第三糊付け領域と重ならない部分が前記第一台形領域の内面に重なり、前記第一補助領域は、前記第三台形領域の内面に重なり、前記第三補助領域は、前記第一台形領域の内面に重なり、前記第一端側突部が前記第四の底片の内面側に入り、前記第一端側切り欠きが前記第四切り欠きに係合することによって、前記第一及び第四の底片が相互に接続され、前記第三端側突部が前記第二の底片の内面側に入り、前記第三端側切り欠きが前記第二切り欠きに係合することによって、前記第二及び第三の底片が相互に接続されることを特徴とする包装箱。
【請求項２】
前記第一端側突部は、前記第一補助領域及び前記第一台形領域の、前記第四の底片に近い側辺に跨るように設けられ、前記第三端側突部は、前記第三補助領域及び前記第三台形領域の、前記第二の底片に近い側辺に跨るように設けられている請求項１記載の包装箱。
【請求項３】
前記第一端側突部と前記第一補助領域との境界部に、前記底部が組み立てられる動作を円滑にするための第一端側折罫線が設けられ、前記第三端側突部と前記第三補助領域との境界部に、前記底部を組み立てられる動作を円滑にするための第三端側折罫線が設けられている請求項１又は２記載の包装箱。
【請求項４】
前記第一の底片は、前記第一補助領域の、前記第二の底片に近い側辺から、前記第二の底片の方向に突出する第一中央側突部を備え、前記第一中央側突部の、前記第一台形領域に近い基端部には第一中央側切り欠きが設けられており、
前記第三の底片は、前記第三補助領域の、前記第四の底片に近い側辺から、前記第四の底片の方向に突出する第三中央側突部を備え、前記第三中央側突部の、前記第三台形領域に近い基端部には第三中央側切り欠きが設けられており、
前記底部を組み立てた状態で、前記第一中央側突部が前記第三の台形状領域の内面側に入り、前記第三中央側突部が前記第一の台形状領域の内面側に入り、前記第一中央側切り欠きが第三中央側切り欠きに係合することによって、前記第一及び第三の底片が相互に接続される請求項１乃至３のいずれか記載の包装箱。
【請求項５】
前記第一中央側突部と前記第一補助領域との境界部に、前記底部が組み立てられる動作を円滑にするための第一中央側折罫線が各々設けられ、前記第三中央側突部と前記第三補助領域との境界部に、前記底部が組み立てられる動作を円滑にするための第三中央側折罫線が設けられている請求項４記載の包装箱。
【考案の詳細な説明】
【技術分野】
【０００１】
本考案は、ロック機能付きのワンタッチ型の底部を備えた包装箱に関する。
【背景技術】
【０００２】
従来から、４つの側板で成る筒体と各側板に延設された底片（又は底板）とを有し、折り畳み状態の筒体を立体的な四角形にすると、４つの底片で成る底部が自動的に組み立てられる包装箱が広く使用されている。近年、この種のワンタッチ型の底部の強度を向上させるため、あるいは底片と底片との間に隙間が発生しにくくするため、底部にロック機能を持たせる技術が複数提案されている。
【０００３】
例えば、特許文献１に開示された包装用紙箱が有するワンタッチ型の底部は、係合突片が各々延設された前底板及び後底板を有し、２つの係合突片の基端部に略Ｖ字形の係合用切込が各々形成され、折り畳み状態の筒体を立体的に開くと、２つの係合突片が互いの係合用切込同士で組み合う構造になっている。この底部は、２つの係合用切込が相互に係合することによってロック部分が１つ形成され、これによって前底板と後底板との接続がより強固になり、底部の強度が向上する。その他、不正開封者が底部を無理に開こうとすると、係合用切込又は弱化ラインが裂けて痕跡が残るので、未開封か否かを容易に識別することができ、不正開封を防止する効果も得られる。
【０００４】
また、特許文献２に開示された箱体が有するワンタッチ型の底部は、箱体の前後方向に配置される２つの第１フラップA1，A2と、箱体の左右方向に配置される２つの第２フラップB1，B2とで構成され、第１フラップA1，A2の先端側の端辺にスリットが各々設けられ、第２フラップB1，B2の側端辺に嵌入縁（及び嵌入突起部）が各々設けられ、折り畳み状態の筒体を立体的に開くと、第１フラップA1のスリットに第２フラップB1の嵌入縁が嵌入され、第１フラップA2のスリットに第２フラップB2の嵌入縁が嵌入される構造になっている。この底部は、第２フラップB1，B2の嵌合縁が第１フラップA1，A2のスリットに嵌入することによってロック部分が２つ形成される。
【先行技術文献】
【特許文献】
【０００５】
【特許文献１】実用新案登録３０９４８８３号公報
【特許文献２】特開２０２０−１９５２９号公報
【考案の概要】
【考案が解決しようとする課題】
【０００６】
特許文献１の包装用紙箱は、底部のロック部分が１つなので、底部の面積が大きいと、底部の強度が不十分になる可能性がある。また、幅寸法が奥行き寸法よりもかなり長い場合（底部が幅広の長方形になる場合）、左右の底板と前後の底板との間に隙間が発生しやすくなる。
【０００７】
特許文献２の箱体は、底部のロック部分が２つなので、底部の面積が大きい場合に有利である。しかし、ロック部分の構造は、第２フラップB1，B2の嵌合縁が第１フラップA1，A2のスリットに入った後、嵌合縁がスリットの中でしっかりと固定されず、簡単に摺動してしまう。したがって、第二フラップB1，B2と第１第２フラップB1，B2とを強固に接続できるものではなく、底部の強度を格段に向上させることは難しい。
【０００８】
また、特許文献２の箱体は、幅寸法が奥行き寸法よりもかなり長い場合（底部が幅広の長方形になる場合）、２つのロック部分の位置が相互に離れてしまうので、前後に位置する第１フラップA1とA2との間に隙間が発生しやすくなる。この問題を解決するため、例えば、特許文献２の箱体に、特許文献１のロック部分の構成を追加することが考えられるが、単純に組み合わせると、底部をワンタッチでスムーズに組み立てることができない。
【０００９】
本考案は、上記背景技術に鑑みて成されたものであり、シンプルで組み立てやすく、底片同士が強固に接続され、底部の強度を格段に向上させることができるワンタッチ型の底部を備えた包装箱を提供することを目的とする。
【課題を解決するための手段】
【００１０】
本考案は、周方向に順に連続する第一から第四の側板を有し、前記第一及び第三側板が前後方向に対向し、前記第二及び第四の側板が左右方向に対向して形成される筒体と、前記第一から第四の側板の底側の端部に各々延設された第一から第四の底片を有し、前記第一から第四の底片が相互に重なって形成される平坦な底部とを備え、前記底部は、前記筒体を立体的な四角形に形成することによって組み立てられるワンタッチ型の底部である包装箱であって、
前記第一の底片は、前記第一の側板の端辺に延設された領域であって、外形が、延出方向の端辺が幅狭になった台形状に形成された第一台形領域と、前記第一台形領域の、前記第二の底片に近い斜辺に延設された第一糊付け領域と、前記第一台形領域の延出方向の端辺の、前記第四の底片の側に偏った位置に延設された第一補助領域と、前記第一補助領域の、前記第四の底片に近い側辺から、前記第四の底片の方向に突出する第一端側突部とを備え、前記第一端側突部の、前記第一台形領域に近い基端部には第一端側切り欠きが設けられており、
前記第二の底片は、前記第一の底片に近い側辺に、当該側辺をＶ字形に切り欠いた第二の切り欠きが設けられており、
前記第三の底片は、前記第三の側板の端辺に延設された領域であって、外形が、延出方向の端辺が幅狭になった台形状に形成された第三台形領域と、前記第三台形領域の、前記第四の底片に近い斜辺に延設された第三糊付け領域と、前記第三台形領域の延出方向の端辺の、前記第二の底片の側に偏った位置に延設された第三補助領域と、前記第三補助領域の、前記第二の底片に近い側辺から、前記前記第二の底片の方向に突出する第三端側突部とを備え、前記第三端側突部の、前記第三台形領域に近い基端部には第三端側切り欠きが設けられており、
前記第四の底片には、前記第三の底片に近い側辺に、当該側辺をＶ字形に切り欠いた第四の切り欠きが設けられており、
前記底部を組み立てた状態で、前記第一糊付け領域は、前記第二の底片の外面に重なって糊で接合され、前記第二の底片は、前記第一糊付け領域と重ならない部分が前記第三台形領域の内面に重なり、前記第三糊付け領域は、前記第四の底片の外面に重なって糊で接合され、前記第四の底片は、前記第三糊付け領域と重ならない部分が前記第一台形領域の内面に重なり、前記第一補助領域は、前記第三台形領域の内面に重なり、前記第三補助領域は、前記第一台形領域の内面に重なり、前記第一端側突部が前記第四の底片の内面側に入り、前記第一端側切り欠きが前記第四切り欠きに係合することによって、前記第一及び第四の底片が相互に接続され、前記第三端側突部が前記第二の底片の内面側に入り、前記第三端側切り欠きが前記第二切り欠きに係合することによって、前記第二及び第三の底片が相互に接続される包装箱である。
【００１１】
前記第一端側突部は、前記第一補助領域及び前記第一台形領域の、前記第四の底片に近い側辺に跨るように設けられ、前記第三端側突部は、前記第三補助領域及び前記第三台形領域の、前記第二の底片に近い側辺に跨るように設けられていてもよい。また、前記第一端側突部と前記第一補助領域との境界部に、前記底部が組み立てられる動作を円滑にするための第一端側折罫線が設けられ、前記第三端側突部と前記第三補助領域との境界部に、前記底部を組み立てられる動作を円滑にするための第三端側折罫線が設けられていることが好ましい。
【００１２】
また、前記第一の底片は、前記第一補助領域の、前記第二の底片に近い側辺から、前記第二の底片の方向に突出する第一中央側突部を備え、前記第一中央側突部の、前記第一台形領域に近い基端部には第一中央側切り欠きが設けられており、前記第三の底片は、前記第三補助領域の、前記第四の底片に近い側辺から、前記第四の底片の方向に突出する第三中央側突部を備え、前記第三中央側突部の、前記第三台形領域に近い基端部には第三中央側切り欠きが設けられており、前記底部を組み立てた状態で、前記第一中央側突部が前記第三の台形状領域の内面側に入り、前記第三中央側突部が前記第一の台形状領域の内面側に入り、前記第一中央側切り欠きが第三中央側切り欠きに係合することによって、前記第一及び第三の底片が相互に接続される構成にすることができる。この場合、前記第一中央側突部と前記第一補助領域との境界部に、前記底部が組み立てられる動作を円滑にするための第一中央側折罫線が各々設けられ、前記第三中央側突部と前記第三補助領域との境界部に、前記底部が組み立てられる動作を円滑にするための第三中央側折罫線が設けられていることが好ましい。
【考案の効果】
【００１３】
本考案の包装箱は、独特な構造のワンタッチ型の底部を有し、第一及び第二の底片が糊付けにより接続され、第二及び第三の底片が互いの切り欠き同士が係合する（ロックする）ことによって接続され、第三及び第四の底片が糊付けにより接続され、第四及び第一の底片が互いの切り欠き同士が係合する（ロックする）ことによって接続されるという特徴があり、４つの底片が隣り合う底片に相互に接続される構造なので、底部の強度を強くすることができ、且つ、底片と底片との間に隙間ができにくい。
【００１４】
また、前後方向に配置される第一及び第三の底片を、互いの切り欠き同士で係合させる（ロックさせる）構成を容易に追加することができ、従来と同等の底部の組み立てやすさを確保しつつ、底部の強度をさらに強くすることができる。
【図面の簡単な説明】
【００１５】
【図１】本考案の包装箱の一実施形態の組み立て状態を示す斜視図（ａ）、蓋部の構造を示す斜視図（ｂ）である。
【図２】この実施形態の包装箱の組み立て状態を示す底面図（ａ）、底部を筒体の中から見た平面図（ｂ）である。
【図３】この実施形態の包装箱を展開した箱体形成片を裏面側から見た平面図である。
【図４】この実施形態の包装箱の組み立て工程（箱体形成片を折り畳む工程）を順に示す図（ａ）、（ｂ）である。
【図５】この実施形態の包装箱の組み立て工程（箱体形成片を折り畳む工程）を順に示す図（ａ）、（ｂ）である。
【図６】この実施形態の包装箱の組み立て工程（底部を形成する工程）示す図であって、底部を外面側から見た図（ａ）、底部を筒体の中から見た平面図（ｂ）である。
【図７】この実施形態の包装箱の組み立て工程（底部を形成する工程）示す図であって、底部を外面側から見た図（ａ）、底部を筒体の中から見た平面図（ｂ）である。
【図８】変形例の包装箱の組み立て状態を示す底面図（ａ）、底部を筒体の中から見た平面図（ｂ）である。
【図９】変形例の包装箱を展開した箱体形成片を裏面側から見た平面図である。
【考案を実施するための形態】
【００１６】
以下、本考案の包装箱の一実施形態について、図１〜図７に基づいて説明する。この実施形態の包装箱１０は、図１（ａ）、（ｂ）に示すように、四角形の筒体１２を備え、筒体１２の両端が蓋部１４及び底部１６で各々閉鎖された略直方体の箱体である。底部１６は、図２（ａ）、（ｂ）に示すワンタッチ型の底部になっている。
【００１７】
包装箱１０は、厚紙等で成る一枚の箱体形成片１８を組み立てることによって形成される。箱体形成片１８は、図３に示すように、一列に順に連接された第一から第四の側板２０，２２，２４，２６を有し、互いに平行な折罫線２８，３０，３２で各々区切られている。第一から第四の側板２０，２２，２４，２６は、連接方向と直交する幅方向の長さが同じで、連接方向の長さは、第一及び第三の側板２０，２４が長くて互いにほぼ等しく、第二及び第四の側板２２，２６が短くて互いにほぼ等しい。そして、第一の側板２０の連接方向の端辺に、糊付け片３４が短く延設され、折罫線３６で第一の側板２０と区切られている。第一から第四の側板２０，２２，２４，２６及び糊付け片３４は、組み立て状態で筒体１２となる部材である。
【００１８】
第一から第四の側板２０，２２，２４，２６の、図３における上側の端辺には、蓋部１４を形成する部材が延設され、下側の端辺には、底部１６を形成する部材が延設されている。以下、各側板の上側の端辺を蓋側の端辺と称し、下側の端辺を底側の端辺と称する。
【００１９】
第一の側板２０の蓋側の端辺には、四角形の蓋片３８が延設され、折罫線４０で第一の側板２０と区切られている。蓋片３８の延出方向長さは、第二及び第四の側板２２，２６の連接方向長さとほぼ同じである。さらに、蓋片３８の延出方向に端部には、差し込み片４２が短く延設され、折罫線４４で蓋片３８と区切られている。
【００２０】
第一の側板２０の底側の端辺には、第一の底片４６が延設され、折罫線５０で第一の側板２０と区切られている。第一の底片４６は、第一台形領域５２、第一糊付け領域５４、第一補助領域５６、第一端側突部５８及び第一中央側突部６０で構成される。
【００２１】
第一台形領域５２は、第一の側板２０の端辺に延設された領域で、外形が、延出方向の端辺が幅狭になった等脚台形状に形成され、第一の側板２０からの延出長さは、第二及び四の側板２２，２６の連接方向長さ（筒体１２の前後方向の長さ）の約1/2に設定されている。第一糊付け領域５４は、第一台形領域５２の、第二の側板２２に近い斜辺に延設された略三角形の領域で、折罫線５４ａで第一台形領域５２と区切られている。第一補助領域５６は、第一台形領域５２の延出方向の端辺の、糊付け片３４の側に偏った位置に延設された略四角形の領域である。
【００２２】
第一端側突部５８は、第一補助領域５６の、糊付け片３４に近い側辺から、糊付け片３４の方向に突出する舌片状の部分で、第一台形領域５２に近い基端部に、当該基端部をＶ字形に切り欠いた第一端側切り欠き５８ａが設けられている。さらに、第一端側突部５８と第一補助領域５６との境界部に、第一端側折罫線５８ｂが設けられている。
【００２３】
第一中央側突部６０は、第一補助領域５６の、第二の側板２２に近い側辺から、第二の側板２２の方向に突出する舌片状の部分で、第一台形領域５２に近い基端部に、当該基端部をＶ字形に切り欠いた第一中央側切り欠き６０ａが設けられている。さらに、第一中央側突部６０と第一補助領域５６との境界部に、第一中央側折罫線６０ｂが設けられている。
【００２４】
第二の側板２２の蓋側の端辺には、略四角形のサイドフラップ６２が延設され、折罫線６４で第二の側板２２と区切られている。サイドフラップ６２の延出長さは、第一及び第三の側板２０，２４の連接方向長さの約1/3である。
【００２５】
第二の側板２２の底側の端辺には、略三角形の第二の底片６６が延設され、折罫線６８で第二の側板２２と区切られている。第二の底片６６の延出長さは、第二及び四の側板２２，２６の連接方向長さ（筒体１２の前後方向の長さ）の1/2よりも長く設定されている。そして、第二の底片６６の、第一の側板２０に近い側辺の途中の位置に、当該位置をＶ字形に切り欠いた第二切り欠き６６ａが設けられている。
【００２６】
第三の側板２４の蓋側の端辺には、蓋部１４を構成する部材は延設されていない。第三の側板２４の底側の端辺には、第三の底片７０が延設され、折罫線７２で第三の側板２４と区切られている。第三の底片７０は、第一の底片４６とほぼ同じ構成であり、第三台形領域７４、第三糊付け領域７６、第三補助領域７８、第三端側突部８０及び第三中央側突部８２で構成される。
【００２７】
第三台形領域７４は、第三の側板２４の端辺に延設された領域で、外形が、延出方向の端辺が幅狭になった等脚台形状に形成され、第三の側板２４からの延出長さは、第二及び四の側板２２，２６の連接方向長さ（筒体１２の前後方向の長さ）の約1/2に設定されている。第三糊付け領域７６は、第三台形領域７４の、第四の側板２６に近い斜辺に延設された略三角形の領域で、折罫線７６ａで第三台形領域７４と区切られている。第三補助領域７８は、第三台形領域７４の延出方向の端辺の、第二の側板２２の側に偏った位置に延設された略四角形の領域である。
【００２８】
第三端側突部８０は、第三補助領域７８の、第二の側板２２に近い側辺から、第二の側板２２の方向に突出する舌片状の部分で、第三台形領域７４に近い基端部に、当該基端部をＶ字形に切り欠いた第三端側切り欠き８０ａが設けられている。さらに、第三端側突部８０ａと第三補助領域７４との境界部に、第三端側折罫線８０ｂが設けられている。
【００２９】
第三中央側突部８２は、第三補助領域７８の、第四の側板２６に近い側辺から、第四の側板２６の方向に突出する舌片状の部分で、第三台形領域７４に近い基端部に、当該基端部をＶ字形に切り欠いた第三中央側切り欠き８２ａが設けられている。さらに、第三中央側突部８２と第三補助領域７８との境界部に、第三中央側折罫線８２ｂが設けられている。
【００３０】
第四の側板２６の蓋側の端辺には、略四角形のサイドフラップ８４が延設され、折罫線８６で第四の側板２６と区切られている。サイドフラップ８４の延出長さは、第一及び第三の側板２０，２４の連接方向長さの約1/3である。
【００３１】
第四の側板２６の底側の端辺には、第二の底片６６とほぼ同じ構成の第四の底片８８が延設され、折罫線９０で第四の側板２６と区切られている。第四の底片８８の延出長さは、第二及び四の側板２２，２６の連接方向長さ（筒体１２の前後方向の長さ）の1/2よりも長く設定されている。そして、第四の底片８８の、第三の側板２４に近い側辺の途中の位置に、当該位置をＶ字形に切り欠いた第四切り欠き８８ａが設けられている。
【００３２】
その他、第三の側板２４の蓋側の端部には、Ｕ字形の破断線９２で囲まれた開封部９４が設けられている。
【００３３】
次に、包装箱１０の組み立て方法の一例を説明する。ここでは、箱体形成片１８の各折罫線の折り曲げ方について、表面が凸になる折り方を正折り、裏面が凸になる折り方を逆折りと称する。
【００３４】
まず、図４（ａ）に示すように、第一の底片４６を折罫線５０で正折して第一の側板２０の裏面に重ね、第二の底片６６を折罫線６８で正折して第二の側板２２の裏面に重ね、第三の底片７０を折罫線７２で正折して第三の側板２４の裏面に重ねる。さらに、第一糊付け領域５４を折罫線５４ａで逆折りして第一台形領域５２の表面に重ね、第一糊付け領域５４の裏面に糊９６を塗布する。そして、図４（ｂ）に示すように、第一の側板２０を折罫線２８で正折りし、第一糊付け領域５４を第二の底片６６に重ねて糊付けする。
【００３５】
その後、図５（ａ）に示すように、第三糊付け領域７６を折罫線７６ａで逆折りして第三台形領域７４の表面に重ね、第三糊付け領域７６の裏面と糊付け片３４の表面に糊９８，１００を各々塗布する。そして、図５（ｂ）に示すように、第四の側板２６を折罫線３２で正折りし、第四の底片８８を第一糊付け領域７６に重ねて糊付けするとともに、糊付け片３４を第四の側板２６の端部の裏面に糊付けする。箱体形成片１８は、この折り畳み状態で包装箱１０を製造する工場等から出荷される。
【００３６】
次に、収容物を包装する工場等において、箱体形成片１８を立体的にするため、第一から第四の側板２０，２２，２４，２６が四角形の筒体１２になるように、折罫線３０，３２，３４，３８を各々９０度に正折りすると、底部１６が自動的に形成される。
【００３７】
底部１６が形成される動作を順に説明すると、まず、図６（ａ）、（ｂ）に示すように、第二の側板２２が立ち上がり始めることにより、糊９６で相互に接続された第一及び第二の底片４６，６６が少し立ち上がり、同様に、反対側の第四の側板２６が立ち上がり始めることにより、糊９８で相互に接続された第三及び第四の底片７０，８８が少し立ち上がる。
【００３８】
第二及び第四の側板２２，２６がさらに立ち上がると、図７（ａ）、（ｂ）に示すように、第二の底片６６の、第二切り欠き６６ａがある側辺が第三端側切り欠き８０ａの中に入り、第二の底片の角部（破線の部分）が第三台形領域７４の内面に沿って移動し、第三端側突部８０が第二の底片６６の内面に沿って移動する。この時、第三端側折罫線８０ｂが適度に折れて第三端側突部８０の角度が変化するため、第二の底片６６の側辺が第三端側切り欠き８０ａの中にスムーズに入ることができる。
【００３９】
同様に、反対側にある第四の底片８８の、第四切り欠き８８ａがある側辺が第一端側切り欠き５８ａの中に入り、第四の底片の角部（破線の部分）が第一台形領域５２の内面に沿って移動し、第一端側突部５８が第四の底片８８の内面に沿って移動する。この時、第一端側折罫線５８ｂが適度に折れて第一端側突部５８の角度が変化するため、第四の底片８８の斜辺が第一端側切り欠き５８ａの中にスムーズに入ることができる。
【００４０】
また、図７（ａ）、（ｂ）に示すように、第一補助領域５６と第三補助領域７８とが横方向に徐々に近くなり、第一中央側突部６０と第三中央突部８２とが接触し、すれ違うように移動する。この時、第一中央側折罫線６０ｂが適度に折れて第一中央側突部６０の角度が変化し、第三中央側折罫線８２ｂが適度に折れて第三中央側突部８２の角度が変化するため、第一中央側突部６０と第三中央突部８２とがスムーズにすれ違うことができる。
【００４１】
そして、第二及び第四の側板２２，２６がさらに立ち上がってほぼ９０度になると、平坦な底部１６が形成され、筒体１２の底側の端部が隙間なく閉鎖される。この時の底部１６は、図２（ａ）、（ｂ）に示す組み立て状態の底部１６と同じ形態になる。
【００４２】
この状態の筒体１２及び底部１６の構造を改めて説明すると、筒体１２は、第一から第四の側板２０，２２，２４，２６が周方向に順に連続し、第一及び第三側板２０，２４が前後方向に対向し、第二及び第四の側板２２，２６が左右方向に対向する。
【００４３】
底部１６は、第一から第四の底片４６，６６，７０，８８が相互に重なって形成される。第一糊付け領域５４は、第二の底片６０の外面に重なって糊９６で接合され、第二の底片６０の、第一糊付け領域５４と重ならない部分が、第三台形領域７４の内面に重なる。第三糊付け領域７６は、第四の底片８８の外面に重なって糊９８で接合され、第四の底片８８の、第三糊付け領域７６と重ならない部分が第一台形領域５２の内面に重なる。
【００４４】
第一補助領域５６及び第一中央側突部６０は、第三台形領域７４の内面側に入り、第三補助領域７８及び第三中央側突部８２は、第一台形領域５２の内面側に入る。そして、第一中央側切り欠き６０ａが第三中央側切り欠き８２ａに強く係合することによって、第一及び第三の底片４６，７０が相互に接続される。
【００４５】
さらに、第一端側突部５８が第四の底片８８の内面側に入り、第一端側切り欠き５８ａが第四切り欠き８８ａに強く係合することによって、第一の底片４６が第四の底片に接続される。また、第三端側突部８０が第二の底片６６の内面側に入り、第三端側切り欠き８０ａが第二切り欠き６６ａに強く係合することによって、第二及び第三の底片が相互に接続される。
【００４６】
底部１６が形成されると、収容物を筒体１２の蓋側の端部から中に入れる。そして、蓋側の端部を閉鎖するため、サイドフラップ６２，８４を折罫線６４，８６で各々９０度に正折りする。その後、差し込み片４２の表面に糊１０２を塗布して折罫線４４を９０度に正折りした後、蓋片３８を折罫線４０で９０度に正折りして筒体１２の蓋側の端部を塞ぎ、差し込み片４２をサイドフラップ６２，８４と第三の側板２４との隙間に差し込んで開封部９４の裏面に糊付けする。これで、蓋片４０及びサイドフラップ６２，８４が順に重なった蓋部１４が形成され、図１、図２に示す組み立て状態になる。
【００４７】
包装箱１０を開封する時は、開封部９４を指で押し込んで開封用破断線９２を破断させ、開封部９４を第三の側板２４から分離させる。これで蓋片３８を開くことが可能になり、蓋片３８を開放すると、中の収容物を取り出すことができる。再封する時は、元のように蓋片３８を倒し、差し込み片４２を第三の側板２４の内面側に差し込んで係止させる。
【００４８】
以上説明したように、包装箱１０は、独特な構造のワンタッチ型の底部１６を有し、第一及び第二の底片４６，６６が糊付けにより接続され、第二及び第三の底片６６，７０が互いの切り欠き同士が強く係合する（ロックする）ことによって接続され、第三及び第四の底片７０，８８が糊付けにより接続され、第四及び第一の底片８８，４６が互いの切り欠き同士が強く係合する（ロックする）ことによって接続されるという特徴があり、４つの底片が隣り合う底片に相互に接続される構造なので、底部１６は、非常に強度が強く、且つ、底片と底片との間に隙間ができにくい。
【００４９】
また、底部１６には、前後方向に配置される第一及び第三の底片４６，７０を、互いの切り欠き同士で強く係合させる（ロックさせる）構成も付加しているので、従来と同等の底部の組み立てやすさを確保しつつ、底部１６の強度をさらに強くすることができる。
【００５０】
なお、本考案の包装箱は、上記実施形態に限定されるものではない。例えば、底部を構成する４つの底片の形状は、上述した底部の組み立ての動作が可能な範囲で変更することができ、底部の強度と組み立てやすさのバランスを調整することができる。例えば、図８（ａ）、（ｂ）は、変形例の包装箱１０ｘが有する底部１６ｘを示している。この底部１６ｘは、図２（ａ）、（ｂ）に示す底部１６と比較すると、第一及び第四の底片４６，８８がロックする部分の構造が変更され、同様に、第二及び第三の底片６６，７０がロックする部分の構造が変更されている。
【００５１】
第一及び第四の底片４６，８８について見ると、図９の箱体形成片１８ｘに示すように、第一の底片４６は、第一端側突部５８が、第一補助領域５６及び第一台形領域５２の、糊付け片３４に近い側辺に跨るように設けられ、第一端側切り欠き５８ａの位置が、第一中央側切り欠き６０ａよりも第一の側板２０に近くなっている。そして、これに合わせて第四の底片８８は、第四切り欠き８８ａの位置が変更され、全体の形状も変更されている。
【００５２】
同様に、第二及び第三の底片６６，７０について見ると、図９の箱体形成片１８ｘに示すように、第三の底片７０は、第三端側突部８０が、第三補助領域７８及び第三台形領域７４の、第二の側板２２に近い側辺に跨るように設けられ、第三端側切り欠き８０ａの位置が、第三中央側切り欠き８０ａよりも第三の側板２４に近くなっている。そして、これに合わせて第二の底片６６は、第二切り欠き６６ａの位置が変更され、全体の形状も変更されている。
【００５３】
変形例の底部１６ｘは、図８（ａ）、（ｂ）に示すように、第二及び第四の底片６６，８８の形状が変更された関係で、第一糊付け領域５４と第二の底片６６とが重なる面積、及び第三糊付け領域７６と第四の底片８８とが重なる面積が各々小さくなる。しかし、底部１６ｘは、筒体１２の一端を隙間なく閉鎖することができ、上記の底部１６とほぼ同等の強度が得られる。
【００５４】
第一端側突部、第一中央側突部、第三の端側突部及び第三中央側突部の形状は特に限定されないが、底部が組み立てられる動作が円滑に行われるように、先端部を円弧状に面取りすることが好ましい。また、底部が組み立てられる動作に支障がなければ、各突部の基端部に設けた第一端側折罫線、第一中央側折罫線、第三の端側折罫線及び第三中央側折罫線は省略してもよい。
【００５５】
上記の包装箱１０は、底部１６に３つのロック部分を設けているが、第一及び第三の底片４６，７０がロックする構造（第一中央側突部６０等及び第三中央側突部８２等）は、必要に応じて削除することができる。例えば、箱体の幅寸法と奥行き寸法の差が小さい場合は、他の２つのロック部分があれば、底片と底片との間に隙間ができにくく、一定以上の強度も得られる。
【符号の説明】
【００５６】
１０，１０ｘ  包装箱
１２  筒体
１４  蓋部
１６，１６ｘ  底部
１８，１８ｘ  箱体形成片
２０  第一の側板
２２  第二の側板
２４  第三の側板
２６  第四の側板
４６  第一の底片
５２  第一台形領域
５４  第一糊付け領域
５６  第一補助領域
５８  第一端側突部
５８ａ  第一端側切り欠き
５８ｂ  第一端側折罫線
６０  第一中央側突部
６０ａ  第一中央側切り欠き
６０ｂ  第一中央側折罫線
６６  第二の底片
６６ａ  第二切り欠き
７０  第三の底片
７４  第三台形領域
７６  第三糊付け領域
７８  第三補助領域
８０  第三端側突部
８０ａ  第三端側切り欠き
８０ｂ  第三端側折罫線
８２  第三中央側突部
８２ａ  第三中央側切り欠き
８２ｂ  第三中央側折罫線
８８  第四の底片
８８ａ  第四切り欠き
９６，９８，１００，１０２  糊
【図１】
0003234704.tif 000003
【図２】
0003234704.tif 000004
【図３】
0003234704.tif 000005
【図４】
0003234704.tif 000006
【図５】
0003234704.tif 000007
【図６】
0003234704.tif 000008
【図７】
0003234704.tif 000009
【図８】
0003234704.tif 000010
【図９】
0003234704.tif 000011